(57)【要約】【課題】      本発明の課題は、製造速度全体に悪影響を与えることなく、個々の次位処理装置の能力を最適に利用することができる、印刷物を処理するための方法を提供することと、対応する方法を実施するための装置を提供することである。【解決手段】  上記の課題は、制御装置（７０）が、供給された各個々の印刷物（１０）のための、または印刷物（１０）を次位処理装置（５０）に正確に引き渡すことを含む各引渡し工程のための、前記印刷物（１０）の別の処理を決定する制御信号を発生するように動作可能に構成されていることより解決される。【選択図】    図１
2010260722.tif 000002
【特許請求の範囲】
【請求項１】
印刷物（１０）を処理するための方法であって、前記印刷物（１０）が、供給区間に沿って個別に供給され、次位処理のために次位処理区間に個別に引き渡される方法において、供給された各個々の印刷物（１０）のために、および／または印刷物（１０）を前記次位処理区間に正確に引き渡すことを含む各引渡し工程のために、前記印刷物（１０）のさらに別の処理を決定する制御信号が発生されることを特徴とする方法。
【請求項２】
第１の制御信号に依存して、前記制御信号が発生される前記供給された印刷物（１０）が前記次位処理区間に引き渡されるかどうかが決定され、および／または第２の制御信号に依存して、前記第２の制御信号が発生される前記引渡し工程がいつ行われるかどうかが決定されることを特徴とする請求項１に記載の方法。
【請求項３】
前記制御信号が、１時間当たりに供給された印刷物（１０）の数に依存して、および１時間当たりに次位処理された前記印刷物（１０）に依存して発生されることを特徴とする請求項１または２に記載の方法。
【請求項４】
前記印刷物（１０）が、前記供給区間から、複数の印刷物（１０）を収容するように構成された蓄積装置（３８）を介して前記次位処理区間に引き渡され、前記制御信号が、前記蓄積装置（３８）に収容された前記複数の印刷物（１０）に依存して発生されることを特徴とする請求項１〜３のいずれか１項に記載の方法。
【請求項５】
前記印刷物（１０）が、印刷物（１０）をそれぞれ搬送するように構成された複数のグリップ（２２）を備えるグリップ搬送装置（２０）により前記供給区間に沿って搬送され、前記第１の制御信号に依存して前記グリップ（２２）から解放されることを特徴とする請求項１〜４のいずれか１項に記載の方法。
【請求項６】
前記印刷物（１０）が前記次位処理区間に沿ってポケット搬送装置のポケット（５２）に搬送され、前記第２の制御信号に応答するように、前記ポケット（５２）には印刷物（１０）が供給されることを特徴とする請求項１〜５のいずれか１項に記載の方法。
【請求項７】
前記印刷物（１０）が、計時された供給搬送装置（２０）、特にグリップ搬送装置により前記供給区間に沿って搬送され、印刷物（１０）が前記供給区間の取出し位置を正確に通過する各搬送クロックのために、第１の制御信号が正確に発生されることを特徴とする請求項１〜６のいずれか１項に記載の方法。
【請求項８】
各搬送クロックのために、前記搬送クロックを示すクロック数が、供給速度（Ｖ１）および次位処理速度（Ｖ３）に基づいて決定された保持数と比較され、前記クロック数が前記保持数に一致する場合に、印刷物（１０）を前記供給区間に保持することを指示する第１の制御信号が、保持信号の形態で発生され、一方、クロック数と保持数とが一致しない場合には、印刷物（１０）を解放することを指示する第１の制御信号が、解放信号の形態で発生されることを特徴とする請求項７に記載の方法。
【請求項９】
印刷物（１０）を保持した後、前記保持数が、所定の適合数（分割ステップ）に対して増加され、好ましくは、前記クロック数および前記保持数が制限数に達した場合にリセットされることを特徴とする請求項８に記載の方法。
【請求項１０】
前記第２の制御信号に基づいて算出された位置において、および／または前記第２の制御信号に依存して算出された時間に対して、前記次位処理区間には別の印刷物（１０）が供給されることを特徴とする請求項１〜９のいずれか１項に記載の方法。
【請求項１１】
前記別の印刷物（１０）により、隙間のない印刷物の流れが前記次位処理区間に沿って形成されることを特徴とする請求項１０に記載の方法。
【請求項１２】
供給区間に沿って印刷物（１０）を個別に搬送することができる供給装置（２０）と、次位処理区間に沿って前記印刷物（１０）を搬送するように動作可能な次位処理装置（５０）と、印刷物（１０）を前記供給装置（２０）から前記次位処理装置（５０）に引き渡すための引渡し装置（３０）と、前記印刷物（１０）の前記引き渡しを制御するように動作可能な制御装置（７０）とを備えた、前記印刷物（１０）を処理するための装置において、    前記制御装置（７０）が、供給された各個々の印刷物（１０）のための、または印刷物（１０）を前記次位処理装置（５０）に正確に引き渡すことを含む各引渡し工程のための、前記印刷物（１０）の別の処理を決定する制御信号を発生するように動作可能に構成されていることを特徴とする装置。
【請求項１３】
前記引渡し装置（３０）が、複数の印刷物（１０）を収容するように構成された蓄積装置（３８）を備え、前記印刷物（１０）が、前記蓄積装置（３８）から前記次位処理装置（５０）に引き渡されることを特徴とする請求項１２に記載の装置。
【請求項１４】
前記蓄積装置（３８）には、前記蓄積装置（３８）に収容された前記印刷物（１０）の数を検出するように構成され、かつ対応する検出信号を前記制御装置（７０）に印加するように動作可能な検出装置（９０）が割り当てられており、前記制御装置（７０）が前記検出信号に依存して制御信号を発生するように動作可能であることを特徴とする請求項１３に記載の装置。
【請求項１５】
前記制御装置（７０）が、前記供給装置（２０）の供給速度（Ｖ１）、および／または前記次位処理装置（５０）の次位処理速度（Ｖ３）を制御するように、および前記供給速度（Ｖ１）および／または前記次位処理速度（Ｖ３）に依存して前記制御信号を発生するように構成されていることを特徴とする請求項１２〜１４のいずれか１項に記載の装置。
【請求項１６】
前記次位処理装置（５０）には、印刷物（１０）を前記次位処理区間に供給するための別の供給装置（６０）が割り当てられていることを特徴とする請求項１２〜１５のいずれか１項に記載の装置。
【発明の詳細な説明】
【技術分野】
【０００１】
本発明は、印刷物が供給区間に沿って個別に供給され、次位処理のために次位処理区間に個別に引き渡される、印刷物を処理するための方法と、このような方法を実施するように動作可能な装置とに関する。
【背景技術】
【０００２】
印刷物の処理時に、これらの印刷物は、通常所定の印刷速度を有する回転印刷機によって印刷され、次に、例えば折畳み工程、切断工程、綴じ工程、挿入工程等のような次位処理工程が施される。この場合、個々の処理工程の処理速度を互いに相違させることができる。「オンライン製造」とも呼ばれる連続製造では、全製造速度を、最も遅く動作する次位処理工程の次位処理速度に調整しなければならない。これによって、生産性が全体的に低下する。
【０００３】
これらの問題を回避するために、個々の次位処理工程後に、印刷物をバッファシステムに一時的に蓄積すること、例えば巻取りシステムで巻き取ることと、次の次位処理工程を施すべき印刷物をバッファシステムから取り出すこと、または巻取りシステムから解くことが既に提案されている。このことは、通常、特定の費用に結び付いているが、その理由は、一方では、バッファシステムを設けなければならず、他方では、通常のバッファシステムが、一時的に蓄積された印刷物を次位処理するための追加の措置、例えば方向転換システム等のようなものを必要とするからである。対応する方法は、例えば、特許文献１、特許文献２、特許文献３および特許文献４に記載されている。
【０００４】
バッファシステムの使用に関連して説明した問題に鑑みて、遅く動作する次位処理装置に達した印刷物の流れを、必要に応じて同種の複数の次位処理装置に分配することも既に提案されている。その場合には、流れている印刷物の流れの第２、第３または第４の各印刷物のみが所定の次位処理装置に供給され、このようにして、印刷物の特に高い供給速度において、製造速度を全体的に減少させる必要なしに、２つ、３つ以上の次位処理装置による遅い次位処理も可能になる。この場合、供給された印刷物の流れは、不変の分割比によって２つ、３つ以上の部分流に分割される。すなわち、この方法により、高い製造速度を達成することができるが、多くの場合、次位処理機の能力が完全に利用されないことが明らかになった。
【先行技術文献】
【特許文献】
【０００５】
【特許文献１】欧州特許出願公開第０２７２３９８号明細書
【特許文献２】国際特許出願公開第９４／０２３９８号明細書
【特許文献３】スイス特許第６６４１３８号明細書
【特許文献４】スイス特許第６５５０７６号明細書
【発明の概要】
【発明が解決しようとする課題】
【０００６】
従来技術の上記課題に鑑みて、本発明の課題は、製造速度全体に悪影響を与えることなく、個々の次位処理装置の能力を最適に利用することができる、印刷物を処理するための方法を提供することと、対応する方法を実施するための装置を提供することである。
【課題を解決するための手段】
【０００７】
本発明によれば、この課題は、方法の観点において、供給された各個々の印刷物のために、および／または印刷物を処理区間に正確に引き渡すことを含む各個々の引渡し工程のために、印刷物のさらなる処理を決定する制御信号が発生されることによって本質的に特徴付けられている公知の方法の発展形態によって解決される。
【０００８】
この場合、本発明は、供給された印刷物の流れを分割するための公知の方法の利用時における次位処理装置の能力の不完全な利用が、利用される複数の次位処理装置によって固定されている不変の分割比で分割を行うことに起因とするという認識に基づいている。これによって、次位処理装置の次位処理速度は、供給速度に直接関連し、さらに影響を受けることがない。
【０００９】
これに対して、本発明による方法の実施形態では、印刷物の次位処理の動的な制御または調整を行うことができるが、その理由は、各個々の印刷物のためにまたは各個々の引渡し工程のために、印刷物のさらなる処理を決定する制御信号が発生され、その結果、固定された分割が生じず、製造条件に対する印刷物の引渡しの動的な適合が可能であるからである。
【００１０】
本発明の範囲で提案された第１の代替方法では、供給された各個々の印刷物のために、制御信号が発生される。供給された印刷物のために、制御信号が解放信号の形態で存在する場合、対応する印刷物は次位処理区間に引き渡される。これに対して、制御信号が保持信号の形態で存在する場合、対応する印刷物は引き渡されず、供給区間から代わりの次位処理区間に引き渡されるかまたは蓄積装置に供給される。この代替方法は、次位処理よりも高い速度で、すなわち、１時間当たりにより多い数の印刷物が供給されるように、印刷物の供給を行うことができるこのような方法の実行のために意図されている。次位処理区間への印刷物の引き渡し、または供給された印刷物の流れからの印刷物の取り出しを動的に調整することによって、次位処理装置の前方で「印刷物の停滞」を生じることなく、次位処理装置によって次位処理することもできるある数の印刷物が、供給された印刷物の流れから正確に取り出されることが実現される。
【００１１】
第２の代替方法は、特に、印刷物の供給よりも高い速度で、すなわち、１時間当たりにより多い数の印刷物が次位処理されるように、次位処理を行うことができるこのような製造工程のために意図されている。このような状況は、例えば、次位処理が、複数の次位処理ステップを含む場合に生じることがあり、これらの次位処理ステップについて、最初に実行される次位処理ステップは、次に実行される次位処理ステップよりも高価である。この場合、供給された全ての印刷物はさらに次位処理装置に引き渡され、これにより、次位処理装置の能力が完全に利用されない。もちろん、引き渡しの単一の制御は、印刷物を正確に引き渡すことを含む各個々の引渡し工程のために制御信号を発生することにより、正確に規定して印刷物を次位処理区間に供給することを可能にし、その結果、必要に応じて、追加の供給装置を使用しつつ、次位処理区間に別の印刷物を供給することができ、このようにして、次位処理区間に沿った隙間のない印刷物の流れ、すなわち、次位処理装置の能力の最適な利用が可能になる。
【００１２】
上記説明から明らかなように、本発明の好ましい実施形態では、第１の制御信号に基づいて、供給されかつ引渡し領域に達した、第１の制御信号が発生される印刷物が、次位処理区間に引き渡されるかどうかが決定され、および／または第２の制御信号に基づいて、第２の制御信号が発生される引渡し工程が行われるかどうかが決定される。この場合、制御信号は、供給速度、すなわち、１時間当たりに供給された印刷物の数に基づいて、および次位処理速度、すなわち、１時間当たりに次位処理された印刷物の数に基づいて有効に発生される。
【００１３】
供給された印刷物の流れが隙間を有することがある可能性と、次位処理の際に、予期しない問題が生じることもある状況とに関連して、本発明の範囲では、印刷物が供給区間から、複数の印刷物を収容するように構成された蓄積装置を介して次位処理装置に引き渡され、制御信号が、蓄積装置に収容された複数の印刷物に基づいて発生される場合に、最適な製造速度を有する摩擦のない製造を保証することが有効であることが証明された。すなわち、この方法の変形では、供給装置または供給区間から取り出された印刷物は、最初に蓄積装置に供給され、次にそこから次位処理区間に引き渡される。供給された印刷物の流れが、例えば光電池によって検出可能な隙間を有する場合、第２の制御信号は、印刷物がもはや蓄積装置から次位処理装置に引き渡されないという影響を受けることがある。この場合、次位処理装置の印刷物の流れにおける発生した隙間は、必要に応じて、蓄積装置に後接続された別の供給装置を使用して満たすことができる。供給された印刷物の流れの隙間が小さく、光電池によって簡単に検出可能でない場合には、蓄積装置からの印刷物の取り出しにより、蓄積装置内の印刷物の充填レベルが減少することになる。この場合、蓄積装置内の印刷物の所望の充填レベルを再び得るために、目標次位処理速度を起点として、次位処理速度が僅かに減少することがある。全体的に、各個々の印刷物または各個々の引渡し工程用の制御信号を用いつつ、蓄積装置および動的な印刷物の引渡しを用いることにより、実際の次位処理速度が、制御する製造条件または蓄積装置の充填レベルに基づき次位処理速度の目標値に対して変化することが可能になる。実際の次位処理速度と次位処理速度の目標値との差は以下で「調整オフセット」とも呼ばれる。
【００１４】
本発明の特に好ましい実施形態では、印刷物は、それらをそれぞれ搬送するように構成された複数のグリップを備えるグリップ搬送装置により、供給区間に沿って搬送され、第１の制御信号に基づいてグリップから解放される。
【００１５】
本発明は、添付品（Ｂｅｉｌａｇｅｎ）が完成した印刷物に挿入される挿入機を使用して、印刷物を次位処理する際に採用すると有利である。このため、印刷物は、好ましくは、次位処理区間に沿ってポケット搬送装置の上方に開いたポケットに搬送され、この場合、別の制御信号に応じて、このポケットに印刷物が挿入され、これらの印刷物は、必要に応じて、蓄積装置から取り出される。この場合、蓄積装置、および印刷物を引き抜くために使用される引渡し装置は、本発明の範囲において、通常の印刷物供給装置の形態で実現することができる。
【００１６】
制御技術的に、印刷物が、計時された供給搬送装置、特にグリップ搬送装置により供給区間に沿って搬送され、印刷物が供給区間の取出し位置を正確に通過する各搬送クロックのために、第１の制御信号（解放信号または保持信号）が正確に発生されると特に有利であることが証明された。この場合、各搬送クロックのために、この搬送クロックを示すクロック数が、供給速度および次位処理速度に基づいて決定された保持数と比較され、クロック数が保持数に一致する場合に、印刷物の保持を供給区間に指示する第１の制御信号が保持信号の形態で発生され、一方、クロック数と保持数とが一致しない場合には、印刷物の解放を指示する第１の制御信号が解放信号の形態で発生されるように、制御を行うことができる。この場合、保持信号の発生後に、供給速度と次位処理速度とに基づいて有効に決定された所定の適合数に対して、保持数を増加させることができる。特に動的な制御によれば、クロック数および保持数が、予め設定された制限数に達した場合に０にリセットされ、このようにして、新しい制御サイクルまたは調整サイクルが開始されると有効であることが証明された。
【００１７】
既に上述したように、第２の制御信号に依存して算出された位置において、および／または第２の制御信号に基づいて算出された時間に対して、次位処理区間に別の印刷物が供給される場合に、次位処理速度が供給速度よりも高い全ての動作条件下で、次位処理装置の能力を最適に利用することができ、この場合、これらの別の印刷物により、隙間のない印刷物の流れが次位処理区間に沿って形成される。
【００１８】
本発明による方法の上記説明から明らかなように、供給区間に沿って印刷物を個別に供給することができる供給装置と、次位処理区間に沿って印刷物を搬送するように動作可能な次位処理装置と、印刷物を供給装置から次位処理装置に引き渡すための引渡し装置と、印刷物の引き渡しを制御するように動作可能な制御装置とを有する、印刷物を処理するための本発明による装置は、制御装置が、供給された各個々の印刷物のために、および／または印刷物を次位処理装置に正確に引き渡すことを含む各引渡し工程のために、印刷物のさらなる処理を決定する制御信号を発生するように動作可能であることによって本質的に特徴付けられており、この場合、引渡し装置は、複数の印刷物を収容するように構成された蓄積装置を備えることができ、印刷物は蓄積装置から次位処理装置に引き渡される。
【００１９】
最適な製造能力を保証するために、蓄積装置は、その中に蓄積された印刷物の数を検出するように構成され、かつ対応する検出信号を制御装置に印加するように動作可能な検出装置を備えることができ、この場合、制御装置は検出信号に基づいて制御信号を発生するように動作可能である。有効には、制御装置は、供給装置の供給速度および／または次位処理装置の次位処理速度を調整するように、ならびに供給速度および／または次位処理速度に基づいて制御信号を発生するように構成されており、この場合、次位処理装置には、さらに、印刷物を次位処理区間に供給するための、制御装置によって有効に制御される供給装置を割り当てることができる。
【００２０】
次に、説明で詳細に示されない本発明の本質的な全ての部分を明確に示している図面を参照して、本発明について説明する。
【図面の簡単な説明】
【００２１】
【図１】本発明による装置の概略図である。
【図２】本発明による方法を説明するためのフローチャートである。
【発明を実施するための形態】
【００２２】
図１に示した装置は、グリップ搬送装置として形成された供給搬送装置２０と、本明細書全体において７０で示される制御装置と、本明細書全体において５０で示されかつ挿入機として形成された次位処理装置と、挿入機５０に割り当てられた別の供給装置６０とを含む。グリップ搬送装置２０により、印刷物の折り目において、印刷物１０は、グリップ２２に把持され、必要に応じて湾曲もしている供給区間に沿って、矢印Ｐで示した方向に下方に垂らして搬送される。この場合、例えば回転印刷機の印刷速度によって、供給速度Ｖ１を予め設定することができる。
【００２３】
引渡し装置３０は、解放装置３２と、印刷物１０が鱗流状に蓄積装置３８に供給される２つの搬送ベルト３４および３６とを含む。解放装置３２により、ライン７８を介してグリップ２２に印加される制御信号に応じて、グリップ搬送装置２０のグリップ２２を選択的に開くことができ、このようにして、グリップ２２に把持された印刷物１０が解放され、搬送ベルト３４の上に落下する。この場合、対応する解放位置２４を通過する各印刷物１０のために、または各グリップ２２のために、制御信号が発生され、信号ライン７８を介して制御装置７０から解放装置３２に印加される。制御信号により、印刷物１０の解放または印刷物１０の保持が、対応するグリップ２２に指示される。解放された印刷物１０は、入口搬送装置としても示されている搬送ベルト３４と３６によって蓄積装置３８内に鱗流状に搬送され、印刷物１０は、引抜き装置４０によって蓄積装置３８から引き抜かれ、挿入機５０のポケット搬送装置のポケット５２に挿入することができる。この場合、入口搬送装置の流入速度Ｖ２は信号ライン８０を介して制御装置７０により制御される。個々の印刷物１０を蓄積装置３８から引き抜くように指示する制御信号は、信号ライン８２を介して制御装置７０から引抜き装置４０に印加される。印刷物１０が引抜き装置４０によってポケット搬送装置のポケット５２に挿入されない場合には、例えば５２ａで示したように、別の供給装置６０によって、印刷物１０を挿入することができる。蓄積装置３８に蓄積された印刷物１０の数が検出装置９０で検出され、対応する検出信号が信号ライン７６を介して制御装置７０に印加される。信号ライン７４を介して、挿入機５０の次位処理速度Ｖ３が制御装置７０から挿入機５０に適用される。この場合、次位処理速度Ｖ３は、必要に応じて調整オフセットに対して変更された目標次位処理速度Ｖ４に一致する。
【００２４】
全体的に、図１に示した装置の動作時、グリップ搬送装置２０のグリップ２２に供給された各個々の印刷物１０のために、制御信号を解放装置３２に印加することができる。さらに、挿入機５０の各個々のポケット５２のために、引抜き信号を引抜き装置４０に印加することができ、このようにして、最適な製造能力が保証される。この場合、制御装置７０によって、挿入機５０の次位処理速度Ｖ３を調整することができ、次に、次位処理速度Ｖ３の変更に基いて、解放装置３２に印加された制御信号、および引抜き装置４０に印加された制御信号は、入口搬送装置３４、３６の搬送速度Ｖ２に合わせて調節される。蓄積装置３８に蓄積された印刷物１０によって、流れに供給された印刷物１０の隙間を補償することができる。次位処理において挿入機５０で問題が生じた場合、解放された印刷物１０を蓄積装置３８内に一時的に蓄積することができる。この製造変動を補償するために、検出装置９０で検出される、蓄積装置３８に蓄積された印刷物１０の量に基づき、信号ライン７８と８２を介して解放装置３２または引抜き装置４０に印加される制御信号を発生することができる。起こり得る製造変動を補償するために、挿入機５０の次位処理速度Ｖ３が、目標次位処理速度Ｖ４に関する調整オフセットに対して変動することができる。制御装置７０に割り当てられかつ図示していない調整装置によって、目標次位処理速度Ｖ４を調整することができる。本発明の図示した実施形態では、挿入機５０の目標次位処理速度Ｖ４が増加した。これにより、グリップ搬送装置２０によってさらに搬送された印刷物１０の間の隙間は、図面左端から図面右端までの図示した動作状態において、より大きくなり、したがって、このことは、印刷物１０がグリップ搬送装置２０からポケット搬送装置または挿入機５０にさらに引き渡されたことと同じであることが理解される。
【００２５】
次に、実施例に基づいて、本発明による装置の機能または本発明による方法の実施形態について説明する。
この実施例において、グリップ搬送装置２０の供給速度は、印刷機の製造機によって１時間当たり６０，０００冊に固定されており、一方、次位処理速度は４０，０００冊である。すなわち、供給された印刷物１０の６６．６％のみを次位処理することができる。このことは、供給された印刷物１０の各３つ目がグリップ搬送装置２０の引渡し領域を垂れて通過しなければならないか、または「分割ステップ」により、供給された印刷物の流れを相応して３つに分割することが必要となることを意味する。この場合、分割率は６６．６％である。一般に、分割率を次式（１）で表すことができる。
Ｓ＝１００・Ｖ４／Ｖ１［％］      （１）
一方、分割ステップを次式（２）で表すことができる。
１００／（１００−分割率）［クロック数］      （２）
この場合、搬送クロック毎に印刷物１０が引渡し位置２４を通過する計時された供給搬送装置２０を使用することを前提とする。次位処理装置５０の目標処理速度Ｖ４が供給装置２０の供給速度Ｖ１よりも高い場合、それに応じて、引抜き装置４０用の引抜き率と引抜きステップとが算出される。
Ａ＝１００・Ｖ１／Ｖ４［％］      （３）
引抜きステップ＝１００／（１００−引抜き率）［クロック数］      （４）
この場合、以下の状況が生じることがある。
１．Ｖ１＞Ｖ４。この場合、供給された印刷物１０の流れを分割しなければならない。単にこのようにして、多数の印刷物１０が、供給された印刷物１０の流れから次位処理されるように取り出される。原則として、取り出されると常に、分割ステップの達成時には、解放装置３２用の保持信号がそれぞれ発生される。
２．Ｖ１＝Ｖ４。この場合、供給された印刷物１０の流れの分割は不要である。ここで、全ての印刷物１０がグリップ搬送装置２０から入口搬送装置３４、３６に引き渡され、全ての印刷物１０が引抜き装置４０によって挿入機５０に引き渡される。
３．Ｖ１＜Ｖ４。この場合、次位処理装置５０のポケット５２への、供給された印刷物１０の分割が行われる。ここで、供給された全ての印刷物１０が次位処理され、もちろん、ポケット５２に分配される。このことは、引抜きステップの達成時に、引抜き装置４０の対応する制御によって行われる。
【００２６】
次に、図２に示したフローチャートを参照して、本発明による方法の実施形態について説明する。
【００２７】
本方法の実施形態では、ステップＳ１において、印刷物１０が供給搬送装置２０の解放位置２４に達しているかどうかがチェックされる。印刷物１０が解放位置２４に達した場合、クロック数（ＮｂｒＣｌｏｃｋｓ）が増加する（ステップＳ２）。同時に、図面を参照して説明した実施例では、クロック数が、１００の値に調整された制限数に達しているかどうかがチェックされる。値が１００を超えた場合、クロック数は０にリセットされる（ステップＳ４）。クロック数が依然として１００の値を超えていない場合、ステップＳ５において、クロック数が保持数ＵＩＮＴ（ｎｅｘｔＳｐｌｉｔｔＳｔｅｐ＋０，５）と比較される。クロック数が保持数に一致しない場合、ステップＳ７において、対応する印刷物１０用の解放信号（ａｃｃｅｐｔＣｏｐｙ：＝１）が発生されて、解放装置３２に印加され、その結果、対応する印刷物１０が、入口搬送装置３４に落下され、次位処理により、挿入機５０に供給される。ステップＳ５において、クロック数が保持数に一致することが確認された場合、ステップＳ８において、保持数が１００に等しくないかどうかがチェックされ、保持数が１００に等しくないことが確認された場合、保持信号（ａｃｃｅｐｔＣｏｐｙ：＝０）が発生されて、解放装置３２に印加され、これにより、対応する印刷物１０が、さらに、グリップ２２から垂れて供給区間に沿って搬送される。同時に、ステップＳ６において、上記のように算出される分割ステップに対して、保持数が増加する。
【００２８】
上記において、供給された印刷物を分割するための本発明による方法について説明してきた。次位処理速度が供給速度よりも高い場合には、それに応じて、次位処理装置の個々のポケットへの、供給された印刷物の分割が行われる。
【００２９】
本発明は、図面を参照して説明した実施例に限定されない。異なって形成された供給装置によって、印刷物の供給を行うこともできる。さらに、異なって形成された次位処理機において、印刷物の次位処理を行うこともできる。単一の搬送ベルトの形態で、入口搬送装置を簡単に実現することもできる。さらに、必要に応じて蓄積装置３８を省略することができる。その上、図面を参照して説明した本発明の実施形態の他の変更が当業者には明らかである。
【図１】
2010260722.tif 000003
【図２】
2010260722.tif 000004